(57)【要約】【課題】閾値を超えた信号レベルを簡単な操作で検出できる信号処理装置を提供する。【解決手段】信号処理装置１は、タッチセンサ３２が、ユーザによる画像表示部３１の画像表示面におけるタッチ位置を検出し、情報取得部４１が、基本周波数と信号レベルの閾値を取得し、第１の検索部４２が、信号レベルが閾値を超えているか否かを基本周波数から上限周波数に向けて検索し、第２の検索部４３が、信号レベルが閾値を超えているか否かを下限周波数から基本周波数に向けて検索し、周波数切換表示部４４が、信号レベルの検索中に、検索時点の周波数を中心周波数とした信号レベルのグラフ画像を画像表示部３１に表示し、第１の検索停止部４５が、基本周波数から上限周波数までの間、もしくは下限周波数から基本周波数までの間で閾値を超える信号レベルが検出されたときに信号レベルの検索を停止させる。【選択図】図１
2014238283.tif 000002
【特許請求の範囲】
【請求項１】
周波数に対する信号レベルのグラフ画像を、横軸に周波数を採り、かつ縦軸に前記信号レベルを採るとともに、予め設定された周波数スパンで表示する画像表示部（３１）を有する信号処理装置（１）であって、
前記画像表示部の画像表示面に重ねて設けられ、かつユーザによるタッチ位置を検出して位置信号を出力するタッチセンサ（３２）と、
前記タッチセンサから位置信号が入力されることを条件として、前記画像表示部に表示されたグラフ画像の中心周波数を基本周波数として取得するとともに、タッチ位置の前記信号レベルを閾値として取得する情報取得手段（４１）と、
前記タッチセンサからの位置信号を解析するとともに、タッチ位置が所定方向に移動するフリック操作であることを条件として、前記信号レベルが前記閾値を超えているか否かを前記基本周波数から上限周波数に向けて検索する第１の検索手段（４２）と、
前記基本周波数から上限周波数までの間で前記閾値を超える前記信号レベルが検出されなかったことを条件として、前記信号レベルが前記閾値を超えているか否かを下限周波数から前記基本周波数に向けて検索する第２の検索手段（４３）と、
前記第１の検索手段による前記信号レベルの検索中、および前記第２の検索手段による前記信号レベルの検索中に、検索時点の周波数を中心周波数とした信号レベルのグラフ画像を予め設定された周波数スパンで前記画像表示部に表示する周波数切換表示手段（４４）と、
前記基本周波数から上限周波数までの間、もしくは下限周波数から前記基本周波数までの間で前記閾値を超える前記信号レベルが検出されたことを条件として、前記信号レベルの検索を停止させる第１の検索停止手段（４５）とを備えたことを特徴とする信号処理装置。
【請求項２】
前記第１の検索手段による前記信号レベルの検索中、あるいは前記第２の検索手段による前記信号レベルの検索中に、前記タッチセンサからの位置信号が入力されることを条件として、前記信号レベルの検索を停止させる第２の検索停止手段（４６）を備えたことを特徴とする請求項１に記載の信号処理装置。
【請求項３】
前記信号レベルの検索停止後に前記タッチセンサからの位置信号が入力されることを条件として、前記第１の検索手段による前記信号レベルの検索、あるいは前記第２の検索手段による前記信号レベルの検索を再開させる検索再開手段（４７）とを備えたことを特徴とする請求項１または請求項２に記載の信号処理装置。
【請求項４】
前記信号レベルが前記閾値を超えた周波数を前記画像表示部に数値表示する周波数表示手段（４８）を備えたことを特徴とする請求項１から請求項３までのいずれか１項に記載の信号処理装置。
【請求項５】
前記信号レベルが前記閾値を超えた周波数のデータを保持する周波数データ保持手段（４９）を備えたことを特徴とする請求項１から請求項４までのいずれか１項に記載の信号処理装置。
【請求項６】
前記信号レベルの前記閾値に対応するマーカを前記画像表示部に設定するマーカ設定手段（５０）を備えたことを特徴とする請求項１から請求項５までのいずれか１項に記載の信号処理装置。
【請求項７】
周波数に対する信号レベルのグラフ画像を、横軸に周波数を採り、かつ縦軸に前記信号レベルを採るとともに、予め設定された周波数スパンで表示する画像表示部（３１）を有し、前記画像表示部の画像表示面に重ねて設けられ、かつユーザによるタッチ位置を検出して位置信号を出力するタッチセンサ（３２）を備えた信号処理装置（１）の信号レベル検索方法であって、
前記タッチセンサから位置信号が入力されることを条件として、前記画像表示部に表示されたグラフ画像の中心周波数を基本周波数として取得するとともに、タッチ位置の前記信号レベルを閾値として取得する情報取得ステップ（Ｓ２）と、
前記タッチセンサからの位置信号を解析するとともに、タッチ位置が所定方向に移動するフリック操作であることを条件として、前記信号レベルが前記閾値を超えているか否かを前記基本周波数から上限周波数に向けて検索する第１の検索ステップ（Ｓ４）と、
前記基本周波数から上限周波数までの間で前記閾値を超える前記信号レベルが検出されなかったことを条件として、前記信号レベルが前記閾値を超えているか否かを下限周波数から前記基本周波数に向けて検索する第２の検索ステップ（Ｓ７）と、
前記基本周波数から上限周波数までの間、もしくは下限周波数から前記基本周波数までの間で前記閾値を超える前記信号レベルが検出されたことを条件として、前記信号レベルの検索を停止させる第１の検索停止ステップ（Ｓ６、Ｓ９）とを含み、
検索時点の周波数を中心周波数とした信号レベルのグラフ画像を予め設定された周波数スパンで前記画像表示部に表示することを特徴とする信号処理装置の信号レベル検索方法。
【発明の詳細な説明】
【技術分野】
【０００１】
本発明は、信号処理装置およびその信号レベル検索方法に関する。
【背景技術】
【０００２】
従来、この種の信号処理装置としては、例えば、特許文献１記載のスペクトラムアナライザが知られている。
【０００３】
特許文献１記載のものは、データ検索の対象外となる周波数帯域をマスク指定する範囲指定手段と、範囲指定手段の指定範囲に基づき、波形データ処理する波形データ演算部と、波形データ演算部により生成されたデータと範囲指定手段の指定帯域データとに基づき、データ検索する処理手段と、処理手段により処理された指定範囲データと検索データとを記憶する記憶部とを備えている。
【０００４】
前述の構成により、特許文献１記載のものは、測定周波数範囲において、同時に複数の周波数帯域を指定して限定した範囲のデータ検索ができる。
【先行技術文献】
【特許文献】
【０００５】
【特許文献１】特開平１１−３０４８５４号公報
【発明の概要】
【発明が解決しようとする課題】
【０００６】
しかしながら、特許文献１記載のものは、データ検索の対象外となる周波数帯域に閾値を超えた信号レベルが存在していると、この信号を発見することができない。
【０００７】
よって、信号処理装置における測定周波数の下限周波数から上限周波数の全域にわたり、閾値を超えた信号レベルの有無を判定する場合は、信号処理装置の画像表示部に信号レベルのグラフ画像を、測定周波数の下限周波数から上限周波数までのフルスパンで表示させることになる。
【０００８】
このため、所定の周波数スパンをフルスパンに変更した後、再度、見つかった信号に中心周波数を合わせてから所定の周波数スパンに戻すという操作が必要になり、閾値を超えた信号レベルを簡単な操作で検出できなかった。
【０００９】
本発明は、前述のような事情に鑑みてなされたものであり、閾値を超えた信号レベルを簡単な操作で検出できる信号処理装置およびその信号レベル検索方法を提供することを目的とする。
【課題を解決するための手段】
【００１０】
本発明の請求項１に係る信号処理装置は、周波数に対する信号レベルのグラフ画像を、横軸に周波数を採り、かつ縦軸に前記信号レベルを採るとともに、予め設定された周波数スパンで表示する画像表示部（３１）を有する信号処理装置（１）であって、前記画像表示部の画像表示面に重ねて設けられ、かつユーザによるタッチ位置を検出して位置信号を出力するタッチセンサ（３２）と、前記タッチセンサから位置信号が入力されることを条件として、前記画像表示部に表示されたグラフ画像の中心周波数を基本周波数として取得するとともに、タッチ位置の前記信号レベルを閾値として取得する情報取得手段（４１）と、前記タッチセンサからの位置信号を解析するとともに、タッチ位置が所定方向に移動するフリック操作であることを条件として、前記信号レベルが前記閾値を超えているか否かを前記基本周波数から上限周波数に向けて検索する第１の検索手段（４２）と、前記基本周波数から上限周波数までの間で前記閾値を超える前記信号レベルが検出されなかったことを条件として、前記信号レベルが前記閾値を超えているか否かを下限周波数から前記基本周波数に向けて検索する第２の検索手段（４３）と、前記第１の検索手段による前記信号レベルの検索中、および前記第２の検索手段による前記信号レベルの検索中に、検索時点の周波数を中心周波数とした信号レベルのグラフ画像を予め設定された周波数スパンで前記画像表示部に表示する周波数切換表示手段（４４）と、前記基本周波数から上限周波数までの間、もしくは下限周波数から前記基本周波数までの間で前記閾値を超える前記信号レベルが検出されたことを条件として、前記信号レベルの検索を停止させる第１の検索停止手段（４５）とを備えた構成を有している。
【００１１】
この構成により、本発明の請求項１に係る信号処理装置は、タッチセンサが、ユーザによる画像表示部の画像表示面におけるタッチ位置を検出し、情報取得手段が、基本周波数と信号レベルの閾値を取得し、第１の検索手段が、信号レベルが閾値を超えているか否かを基本周波数から上限周波数に向けて検索し、第２の検索手段が、信号レベルが閾値を超えているか否かを下限周波数から基本周波数に向けて検索し、周波数切換表示手段が、第１の検索手段による信号レベルの検索中、および第２の検索手段による信号レベルの検索中に、検索時点の周波数を中心周波数としたグラフ画像を予め設定された周波数スパンで画像表示部に表示し、第１の検索停止手段が、基本周波数から上限周波数までの間、もしくは下限周波数から基本周波数までの間で閾値を超える信号レベルが検出されたときに信号レベルの検索を停止させる。よって、本発明の請求項１に係る信号処理装置は、閾値を超えた信号レベルを簡単な操作で検出できる。
【００１２】
本発明の請求項２に係る信号処理装置は、前記第１の検索手段による前記信号レベルの検索中、あるいは前記第２の検索手段による前記信号レベルの検索中に、前記タッチセンサからの位置信号が入力されることを条件として、前記信号レベルの検索を停止させる第２の検索停止手段（４６）を備えた構成を有している。
【００１３】
この構成により、本発明の請求項２に係る信号処理装置は、第２の検索停止手段が、第１の検索手段による信号レベルの検索中、あるいは第２の検索手段による信号レベルの検索中に、タッチセンサから位置信号が入力されたときに信号レベルの検索を停止させる。よって、本発明の請求項２に係る信号処理装置は、信号レベルの検索を簡単な操作で停止できる。
【００１４】
本発明の請求項３に係る信号処理装置は、前記信号レベルの検索停止後に前記タッチセンサからの位置信号が入力されることを条件として、前記第１の検索手段による前記信号レベルの検索、あるいは前記第２の検索手段による前記信号レベルの検索を再開させる検索再開手段（４７）とを備えた構成を有している。
【００１５】
この構成により、本発明の請求項３に係る信号処理装置は、検索再開手段が、信号レベルの検索停止後にタッチセンサからの位置信号が入力されたときに信号レベルの検索を再開させる。よって、本発明の請求項３に係る信号処理装置は、信号レベルの検索を簡単な操作で再開できる。
【００１６】
本発明の請求項４に係る信号処理装置は、前記信号レベルが前記閾値を超えた周波数を前記画像表示部に数値表示する周波数表示手段（４８）を備えた構成を有している。
【００１７】
この構成により、本発明の請求項４に係る信号処理装置は、周波数表示手段が、信号レベルが閾値を超えた周波数を画像表示部に数値表示する。よって、信号レベルが閾値を超えた周波数を容易に把握することができる。
【００１８】
本発明の請求項５に係る信号処理装置は、前記信号レベルが前記閾値を超えた周波数のデータを保持する周波数データ保持手段（４９）を備えた構成を有している。
【００１９】
この構成により、本発明の請求項５に係る信号処理装置は、周波数データ保持手段が、信号レベルが閾値を超えた周波数のデータを保持する。よって、信号レベルが閾値を超えた周波数のデータを確実に記録することができる。
【００２０】
本発明の請求項６に係る信号処理装置は、前記信号レベルの前記閾値に対応するマーカを前記画像表示部に設定するマーカ設定手段（５０）を備えた構成を有している。
【００２１】
この構成により、本発明の請求項６に係る信号処理装置は、マーカ設定手段が、信号レベルの閾値に対応するマーカを画像表示部に設定する。よって、信号レベルが閾値を超えた周波数を容易に確認できる。
【００２２】
本発明の請求項７に係る信号処理装置の信号レベル検索方法は、周波数に対する信号レベルのグラフ画像を、横軸に周波数を採り、かつ縦軸に前記信号レベルを採るとともに、予め設定された周波数スパンで表示する画像表示部（３１）を有し、前記画像表示部の画像表示面に重ねて設けられ、かつユーザによるタッチ位置を検出して位置信号を出力するタッチセンサ（３２）を備えた信号処理装置（１）の信号レベル検索方法であって、前記タッチセンサから位置信号が入力されることを条件として、前記画像表示部に表示されたグラフ画像の中心周波数を基本周波数として取得するとともに、タッチ位置の前記信号レベルを閾値として取得する情報取得ステップ（Ｓ２）と、前記タッチセンサからの位置信号を解析するとともに、タッチ位置が所定方向に移動するフリック操作であることを条件として、前記信号レベルが前記閾値を超えているか否かを前記基本周波数から上限周波数に向けて検索する第１の検索ステップ（Ｓ４）と、前記基本周波数から上限周波数までの間で前記閾値を超える前記信号レベルが検出されなかったことを条件として、前記信号レベルが前記閾値を超えているか否かを下限周波数から前記基本周波数に向けて検索する第２の検索ステップ（Ｓ７）と、前記基本周波数から上限周波数までの間、もしくは下限周波数から前記基本周波数までの間で前記閾値を超える前記信号レベルが検出されたことを条件として、前記信号レベルの検索を停止させる第１の検索停止ステップ（Ｓ６、Ｓ９）とを含み、検索時点の周波数を中心周波数とした信号レベルのグラフ画像を予め設定された周波数スパンで前記画像表示部に表示する構成を有している。
【００２３】
この構成により、本発明の請求項７に係る信号処理装置の信号レベル検索方法は、情報取得ステップにおいて、基本周波数と信号レベルの閾値を取得し、第１の検索ステップにおいて、信号レベルが閾値を超えているか否かを基本周波数から上限周波数に向けて検索し、第２の検索ステップにおいて、信号レベルが閾値を超えているか否かを下限周波数から基本周波数に向けて検索し、第１の検索ステップにおいて、基本周波数から上限周波数までの間、もしくは下限周波数から基本周波数までの間で閾値を超える信号レベルが検出されたときに信号レベルの検索を停止させ、検索時点の周波数を中心周波数としたグラフ画像を予め設定された周波数スパンで画像表示部に表示する。よって、本発明の請求項７に係る信号処理装置の信号レベル検索方法は、閾値を超えた信号レベルを簡単な操作で検出できる。
【発明の効果】
【００２４】
本発明によれば、閾値を超えた信号レベルを簡単な操作で検出できる信号処理装置およびその信号レベル検索方法を提供することができる。
【図面の簡単な説明】
【００２５】
【図１】本発明の実施の形態に係る信号処理装置のブロック構成図である。
【図２】本発明の実施の形態に係る信号処理装置の画像表示部に表示される周波数スペクトラム波形のグラフ画像において、周波数スパンをフルスパンに設定した場合のグラフ画像である。
【図３】本発明の実施の形態に係る信号処理装置の画像表示部に表示される周波数スペクトラム波形のグラフ画像において、周波数スパンを５ＭＨｚに設定し、かつ中心周波数が１ＧＨｚである場合のグラフ画像である。
【図４】本発明の実施の形態に係る信号処理装置の画像表示部に表示される周波数スペクトラム波形のグラフ画像において、周波数スパンに５ＭＨｚを設定し、かつ中心周波数が４．００８ＭＨｚである場合のグラフ画像である。
【図５】本発明の実施の形態に係る信号処理装置の作動を示すフローチャートである。
【発明を実施するための形態】
【００２６】
以下、本発明に係る信号処理装置の実施の形態について、図面を参照しつつ説明する。なお、信号処理装置の具体例としては、スペクトラムアナライザ等を挙げることができる。
【００２７】
図１に示すように、本実施の形態に係る信号処理装置１は、ＡＴＴ（アッテネータ）１１、局部発振器１２、信号混合器１３、ＲＢＷ（Resolution Band Width）フィルタ１４、対数変換部１５、ＶＢＷ（Video Band Width）フィルタ１６、検波器１７、ＡＤＣ（アナログデジタルコンバータ）１８、データ記憶部１９、信号処理部２０、掃引部２１、表示装置３０、および制御装置４０を備えている。
【００２８】
この信号処理装置１は、ＡＴＴ１１の減衰量を設定する機能や、局部発振器１２の発振周波数を設定する機能、ＲＢＷフィルタ１４のフィルタ特性を設定する機能等の複数の機能を有している。以下、信号処理装置１の信号解析処理に係る作動について説明する。
【００２９】
入力信号である高周波の被測定信号は、ＡＴＴ１１によって所定の信号レベルに減衰され、信号混合器１３で局部発振器１２からの局部発振信号と混合され、中間周波数を有する中間周波数信号に変換される。
【００３０】
局部発振器１２の発振周波数は、掃引部２１により、所定の周波数範囲にわたって掃引される。これにより、信号混合器１３から出力される中間周波数信号の周波数も掃引動作に同期して変化する。
【００３１】
信号混合器１３より周波数が低下されて出力された中間周波数信号は次のＲＢＷフィルタ１４に入力される。このＲＢＷフィルタ１４は、アナログのバンドパスフイルタで構成されており、不要な周波数成分を除き、必要な中間周波数信号のみを選択する。
【００３２】
信号混合器１３から出力される中間周波数信号の周波数は掃引動作に同期して変化するので、ＲＢＷフィルタ１４から１掃引時間（掃引期間）内において時間経過と共に出力される出力信号は、中間周波数信号に変換された被測定信号の各周波数成分における時系列波形となる。
【００３３】
ＲＢＷフィルタ１４からの中間周波数信号は、対数変換部１５により信号レベルがデシベル単位に変換されて出力され、次のアナログのＶＢＷフィルタ１６に入力される。ＶＢＷフィルタ１６は、表示装置３０に最終的に表示される周波数スペクトラム波形の高周波成分（雑音成分）を除去して信号を出力する。ＶＢＷフィルタ１６から出力された信号は次の検波器１７によって検波される。
【００３４】
検波器１７では、ＶＢＷフィルタ１６から出力されたアナログの周波数スペクトラム波形における各時間軸位置のピーク値を検出し、包絡線検波された状態の最終的な周波数スペクトラム波形を得る。そして、掃引期間内に検波された信号は、掃引された周波数における時系列波形の大きさを示す。したがって、横軸を周波数、縦軸を振幅とすれば、周波数スペクトラム波形となる。
【００３５】
この周波数スペクトラム波形を示す信号は、次のＡＤＣ１８でデジタルデータに変換されデータ記憶部１９に蓄積される。データ記憶部１９に蓄積されたデジタルデータは、次の信号処理部２０で信号処理され、この信号処理の結果得られる周波数スペクトラム波形は表示装置３０に周波数ドメイン（横軸を周波数、縦軸を振幅）で表示される。
【００３６】
次に、表示装置３０の構成について説明する。表示装置３０は、画像表示部３１と、タッチセンサ３２と、キーボード３３とを備えている。画像表示部３１には、図２、図３、図４に示すように、例えば、信号処理部２０からの周波数スペクトラム波形が、横軸に周波数（Ｈｚ）を採り、かつ縦軸に信号レベル（ｄＢｍ）を採ったグラフ画像として表示される。
【００３７】
図２〜図４における周波数スペクトラム波形は同一であって、図２は、周波数スパンをフルスパンに設定した場合の周波数スペクトラム波形のグラフ画像、図３は、周波数スパンを５ＭＨｚに設定し、かつ中心周波数が１ＧＨｚである場合の周波数スペクトラム波形のグラフ画像、図４は、周波数スパンに５ＭＨｚを設定し、かつ中心周波数が４．００８ＭＨｚである場合の周波数スペクトラム波形のグラフ画像を表している。ここで、図２、図４に注目すると、いずれも、４ＭＨｚで信号レベルが−３０ｄＢｍ程度になっている。
【００３８】
タッチセンサ３２は、画像表示部３１の画像表示面に重ねて設けられ、かつユーザによる画像表示部３１のタッチ位置を検出して位置信号を出力するよう構成されている。画像表示部３１におけるタッチ位置は、図３に示すように、−１０．０ｄＢｍ〜−９０．０ｄＢｍ間の１０ｄＢｍごとの各座標軸を含む範囲ＡＲ１〜ＡＲ９に区分されている。なお、範囲ＡＲ１〜ＡＲ９を表す破線の枠は、説明のために図示したもので、実際には、画像表示部３１に表示されない。
【００３９】
なお、タッチセンサ３２としては、例えば、人体の一部（指先等）や静電ペンなどの接触を検知して、その検知信号を制御装置４０に出力する静電容量方式のものであってもよく、またはペン先等の堅い物質の接触を検知してその検知信号を制御装置４０に出力する抵抗膜方式のものであってもよく、あるいはその他の方式のものであってもよい。
【００４０】
また、キーボード３３には、例えば、画像表示部３１に表示される周波数スペクトラム波形の中心周波数、周波数スパン、スタート周波数、ストップ周波数等を設定するためのキーが設けられている。
【００４１】
図１に戻り、制御装置４０の構成について説明する。制御装置４０は、情報取得部４１と、第１の検索部４２と、第２の検索部４３と、周波数切換表示部４４と、第１の検索停止部４５と、第２の検索停止部４６と、検索再開部４７と、周波数表示部４８と、周波数データ保持部４９と、マーカ設定部５０とを備えている。
【００４２】
なお、情報取得部４１は、本発明に係る情報取得手段を構成し、第１の検索部４２は、本発明に係る第１の検索手段を構成し、第２の検索部４３は、本発明に係る第２の検索手段を構成し、周波数切換表示部４４は、本発明に係る周波数切換表示手段を構成する。また、第１の検索停止部４５は、本発明に係る第１の検索停止手段を構成し、第２の検索停止部４６は、本発明に係る第２の検索停止手段を構成し、検索再開部４７は、本発明に係る検索再開手段を構成する。さらに、周波数表示部４８は、本発明に係る周波数表示手段を構成し、周波数データ保持部４９は、本発明に係る周波数保持手段を構成し、マーカ設定部５０は、本発明に係るマーカ表示手段を構成する。
【００４３】
制御装置４０は、例えば、図示しないＣＰＵ（Central processing Unit）と、画像表示部３１への周波数スペクトラム波形のグラフ表示、およびタッチセンサ３２から位置信号の処理等を行うためのソフトウェアを含むプログラムが記憶された図示しないＲＯＭ（Read Only Memory）と、図示しないＲＡＭ（Random Access Memory）と、各種インタフェースが接続される入出力回路等を備えたマイクロコンピュータで構成されている。
【００４４】
情報取得部４１は、タッチセンサ３２から位置信号が入力されることを条件として、画像表示部３１に表示された周波数スペクトラム波形の中心周波数を基本周波数として取得するよう構成されている。また、情報取得部４１は、画像表示部３１におけるタッチ位置に対応した範囲ＡＲ１〜ＡＲ９に含まれる−１０ｄＢｍごとの座標軸の信号レベルを閾値として取得するよう構成されている。つまり、情報取得部４１は、タッチセンサ３２からの位置信号が、例えば、ユーザによるタッチ位置が図３に示す状態の画像表示部３１の範囲ＡＲ３である場合には、中心周波数１ＧＨｚを基本周波数として取得するとともに、−３０ｄＢｍを閾値として取得する。
【００４５】
第１の検索部４２は、タッチセンサ３２からの位置信号を解析して、ユーザによるタッチ位置が座標軸に沿って横方向に移動するフリック操作であることを条件として、周波数スペクトラム波形の信号レベルが閾値を超えているか否かを、基本周波数から上限周波数に向けて検索するよう構成されている。なお、信号レベルの検索開始は、ユーザによるフリック操作が実行されることを前提としている。
【００４６】
第２の検索部４３は、基本周波数から上限周波数までの間で閾値を超える信号レベルが検出されなかったことを条件として、周波数スペクトラム波形の信号レベルが閾値を超えているか否かを、下限周波数から基本周波数に向けて検索するよう構成されている。
【００４７】
周波数切換表示部４４は、第１の検索部４２による信号レベルの検索中、および第２の検索部４３による信号レベルの検索中に、検索時点の周波数を中心周波数とした周波数スペクトラム波形のグラフ画像を、検索開始時の周波数スパンで画像表示部３１に表示するよう構成されている。したがって、周波数切換表示部４４は、検索開始時の周波数スパンが図３に示すように５ＭＨｚであった場合は、以後、５ＭＨｚの周波数スパンで周波数スペクトラム波形のグラフ画像を画像表示部３１に表示する。
【００４８】
第１の検索停止部４５は、基本周波数から上限周波数までの間、もしくは下限周波数から基本周波数までの間で閾値を超える信号レベルが検出されたことを条件として、信号レベルの検索を停止させるよう構成されている。
【００４９】
第２の検索停止部４６は、第１の検索部４２による信号レベルの検索中、あるいは第２の検索部４３による信号レベルの検索中に、タッチセンサ３２からの位置信号が入力されることを条件として、信号レベルの検索を停止させるよう構成されている。このときのユーザによるタッチ位置は、画像表示部３１の範囲ＡＲ１〜ＡＲ９のいずれであってもよい。
【００５０】
検索再開部４７は、信号レベルの検索停止後にタッチセンサ３２からの位置信号が入力されることを条件として、第１の検索部４２による信号レベルの検索、あるいは第２の検索部４３による信号レベルの検索を再開させるよう構成されている。このときのユーザによるタッチ位置は、画像表示部３１の範囲ＡＲ１〜ＡＲ９のいずれであってもよい。
【００５１】
周波数表示部４８は、信号レベルが閾値を超えた周波数を画像表示部３１に数値表示するよう構成されている。また、周波数データ保持部４９は、信号レベルが閾値を超えた周波数のデータを保持するよう構成されている。
【００５２】
マーカ設定部５０は、信号レベルの閾値に対応するマーカを画像表示部３１に設定するよう構成されている。マーカ設定部５０は、例えば、閾値が−３０ｄＢｍである場合には、図３、図４に示す−３０ｄＢｍの座標軸を、他の座標軸とは異なる色で表示する。
【００５３】
次に、本実施の形態に係る信号処理装置１の作動を、図５により説明する。
【００５４】
信号処理装置１は、キーボード３３によって周波数スパンが５ＭＨｚに設定され、かつ中心周波数に設定されると、画像表示部３１に、例えば、図３に示すような周波数スペクトラム波形のグラフ画像を表示する。
【００５５】
情報取得部４１は、タッチセンサ３２から位置信号が入力された（ステップＳ１；ＹＥＳ）ことを条件として、画像表示部３１に表示された周波数スペクトラム波形の中心周波数を基本周波数として取得するとともに、画像表示部３１におけるタッチ位置に対応した信号レベルを閾値として取得する（ステップＳ２）。情報取得部４１は、タッチセンサ３２からの位置信号が、例えば、ユーザによるタッチ位置が図３に示す状態の画像表示部３１の範囲ＡＲ３であると、中心周波数１ＧＨｚを基本周波数として取得するとともに、−３０ｄＢｍを閾値として取得することになる。
【００５６】
このとき、マーカ設定部５０は、図３、図４に示す−３０ｄＢｍの座標軸を他の座標軸とは異なる色で表示する。また、情報取得部４１は、タッチセンサ３２から位置信号が入力されない（ステップＳ１；ＮＯ）と、基本周波数および閾値の取得を実行しない。
【００５７】
第１の検索部４２は、タッチセンサ３２からの位置信号を解析するとともに、ユーザによるタッチ位置が座標軸に沿って横方向に移動するフリック操作である（ステップＳ３；ＹＥＳ）ことを条件として、周波数スペクトラム波形の信号レベルが閾値を超えているか否かを、基本周波数から上限周波数に向けて検索する（ステップＳ４）。第１の検索部４２は、タッチ位置がフリック操作でない（ステップＳ３；ＮＯ）と、信号レベルの検索を実行しない。
【００５８】
つまり、信号レベルの検索の基準点となる基本周波数の取得、信号レベルの閾値の取得、および信号検索の開始は、ユーザによる画像表示部３１のタッチ操作によって行われる。
【００５９】
第２の検索部４３は、第１の検索部４２による信号レベルの検索中に、タッチセンサ３２からの位置信号が入力されず（ステップＳ５；ＮＯ）、かつ基本周波数から上限周波数までの間で閾値を超える信号レベルが検出されなかった（ステップＳ６；ＮＯ）ことを条件として、周波数スペクトラム波形の信号レベルが閾値を超えているか否かを、下限周波数から基本周波数に向けて検索する（ステップＳ７）。
【００６０】
周波数切換表示部４４は、第１の検索部４２による信号レベルの検索中、および第２の検索部４３による信号レベルの検索中に、検索時点の周波数を中心周波数とした周波数スペクトラム波形のグラフ画像を、検索開始時の周波数スパンで画像表示部３１に表示する。したがって、画像表示部３１には、５ＭＨｚの周波数スパンで周波数スペクトラム波形のグラフ画像が、あたかも右側から左側へ向けて所定の速度で移動するよう表示されることになる。
【００６１】
周波数切換表示部４４は、第２の検索部４３による信号レベルの検索中に、タッチセンサ３２からの位置信号が入力されず（ステップＳ８；ＮＯ）、かつ下限周波数から基本周波数までの間で閾値を超える信号レベルが検出されなかった（ステップＳ９；ＮＯ）ことを条件として、画像表示部３１に、図３に示すような検索開始前の周波数スペクトラム波形のグラフ画像を表示する。
【００６２】
つまり、基本周波数から上限周波数までの間、および下限周波数から基本周波数までの間で閾値を超える信号レベルが検出されない場合には、画像表示部３１のグラフ画像は、自動的に検索開始前の状態に戻ることになる。
【００６３】
第１の検索停止部４５は、基本周波数から上限周波数までの間で閾値を超える信号レベルが検出された（ステップＳ６；ＹＥＳ）ことを条件として、第１の検索部４２による信号レベルの検索を停止させる（ステップＳ１０）。また、第１の検索停止部４５は、下限周波数から基本周波数までの間で閾値を超える信号レベルが検出された（ステップＳ９；ＹＥＳ）ことを条件として、第２の検索部４３による信号レベルの検索を停止させる（ステップＳ１３）。
【００６４】
第１の検索停止部４５は、例えば、第２の検索部４３が−３０ｄＢｍの閾値を超える−３０．１８ｄＢｍの信号レベルを検出すると、第２の検索部４３による信号レベルの検索を停止させる。この結果、前述した画像表示部３１における周波数スペクトラム波形の移動も停止する。そして、画像表示部３１には、図４に示すような周波数スペクトラム波形のグラフ画像が表示される。
【００６５】
つまり、基本周波数から上限周波数までの間、あるいは下限周波数から基本周波数までの間で閾値を超える信号レベルが検出された場合には、周波数スペクトラム波形の移動が自動的に停止することになる。この結果、ユーザは、信号レベルが閾値を超えたことを認識できる。
【００６６】
このとき、周波数表示部４８は、図４に示すように、信号レベルが閾値を超えた周波数である４ＭＨｚを、画像表示部３１の上部に数値表示する。周波数データ保持部４９は、
信号レベルが閾値を超えた周波数のデータを保持する。
【００６７】
第２の検索停止部４６は、第１の検索部４２による信号レベルの検索中に、タッチセンサ３２からの位置信号が入力された（ステップＳ５；ＹＥＳ）ことを条件として、第１の検索部４２による信号レベルの検索を停止させ、画像表示部３１のグラフ画像を、検索開始前の状態に戻す。また、第２の検索停止部４６は、第２の検索部４３による信号レベルの検索中に、タッチセンサ３２からの位置信号が入力された（ステップＳ８；ＹＥＳ）ことを条件として、第２の検索部４３による信号レベルの検索を停止させ、画像表示部３１のグラフ画像を、検索開始前の状態に戻す。
【００６８】
つまり、第１の検索部４２による信号検索の停止、あるいは第２の検索部４３による信号検索の停止は、ユーザの画像表示部３１のタッチ操作によって任意に行うことができる。
【００６９】
検索再開部４７は、第１の検索部４２による信号レベルの検索停止後にタッチセンサ３２からの位置信号が入力され、ユーザによるタッチ位置が座標軸に沿って横方向に移動するフリック操作である（ステップＳ１１；ＹＥＳ）ことを条件として、第１の検索部４２による信号レベルの検索を再開させる（ステップＳ１２）。検索再開部４７は、第１の検索部４２による信号レベルの検索停止後にタッチセンサ３２からの位置信号が入力されない（ステップＳ１１；ＮＯ）と、第１の検索部４２による信号レベルの検索を再開させない。
【００７０】
また、検索再開部４７は、第２の検索部４３による信号レベルの検索停止後にタッチセンサ３２からの位置信号が入力され、かつユーザによるタッチ位置が座標軸に沿って横方向に移動するフリック操作である（ステップＳ１４；ＹＥＳ）ことを条件として、第２の検索部４３による信号レベルの検索を再開させる（ステップＳ１５）。検索再開部４７は、第２の検索部４３による信号レベルの検索停止後にタッチセンサ３２からの位置信号が入力されない（ステップＳ１４；ＮＯ）と、第２の検索部４３による信号レベルの検索を再開させない。
【００７１】
つまり、第１の検索部４２による信号検索の再開、あるいは第２の検索部４３による信号検索の再開は、ユーザの画像表示部３１のタッチ操作だけで任意に行うことができる。
【００７２】
すなわち、本実施の形態に係る信号処理装置１は、画像表示部３１に表示される周波数スペクトラム波形のグラフ画像の中心周波数を変更するために、キーボード３３を繰り返し操作する必要がなくなり、また、画像表示部３１に表示される周波数スペクトラム波形の周波数スパンを、図２に示すようなフルスパンに変更しなくてもよい。
【００７３】
以上のように、本実施の形態に係る信号処理装置１は、タッチセンサ３２が、ユーザによる画像表示部３１の画像表示面におけるタッチ位置を検出し、情報取得部４１が、基本周波数と信号レベルの閾値を取得し、第１の検索部４２が、信号レベルが閾値を超えているか否かを基本周波数から上限周波数に向けて検索し、第２の検索部４３が、信号レベルが閾値を超えているか否かを下限周波数から基本周波数に向けて検索し、周波数切換表示部４４が、第１の検索部４２による信号レベルの検索中、および第２の検索部４３による信号レベルの検索中に、検索時点の周波数を中心周波数とした信号レベルのグラフ画像を予め設定された周波数スパンで画像表示部３１に表示する。
【００７４】
さらに、本実施の形態に係る信号処理装置１は、第１の検索停止部４５が、基本周波数から上限周波数までの間、もしくは下限周波数から基本周波数までの間で閾値を超える信号レベルが検出されたときに信号レベルの検索を停止させ、第２の検索停止部４６が、第１の検索部４２による信号レベルの検索中、あるいは第２の検索部４３による信号レベルの検索中に、タッチセンサ３２から位置信号が入力されたときに信号レベルの検索を停止させ、検索再開部４７が、信号レベルの検索停止後にタッチセンサ３２からの位置信号が入力されたときに信号レベルの検索を再開させる。したがって、本実施の形態に係る信号処理装置１は、閾値を超えた信号レベルを簡単な操作で検出できる。
【００７５】
また、本実施の形態に係る信号処理装置１は、周波数表示部４８が、信号レベルが閾値を超えた周波数を画像表示部３１に数値表示する。したがって、本実施の形態に係る信号処理装置１は、信号レベルが閾値を超えた周波数を容易に把握することができる。
【００７６】
また、本実施の形態に係る信号処理装置１は、周波数データ保持部４９が、信号レベルが閾値を超えた周波数のデータを保持する。したがって、本実施の形態に係る信号処理装置１は、信号レベルが閾値を超えた周波数のデータを確実に記録することができる。
【００７７】
また、本実施の形態に係る信号処理装置１は、マーカ設定部５０が、信号レベルの閾値に対応するマーカを画像表示部３１に設定する。したがって、本実施の形態に係る信号処理装置１は、信号レベルが閾値を超えた周波数を容易に確認できる。
【００７８】
なお、本発明に係る信号処理装置およびその信号レベル検索方法の技術的範囲は、上述の実施の形態に限定されるものではなく、本発明の範囲を逸脱しない限り、特許請求の範囲に記載した各構成要素の種々の変更を含むものである。
【産業上の利用可能性】
【００７９】
以上のように、本発明に係る信号処理装置およびその信号レベル検索方法は、閾値を超えた信号レベルを簡単な操作で検出できるという効果を有し、各種信号解析置およびその信号レベル検索方法として有用である。
【符号の説明】
【００８０】
１  信号処理装置
３１  画像表示部
３２  タッチセンサ
４１  情報取得部（情報取得手段）
４２  第１の検索部（第１の検索手段）
４３  第２の検索部（第２の検索手段）
４４  周波数切換表示部（周波数切換表示手段）
４５  第１の検索停止部（第１の検索停止手段）
４６  第２の検索停止部（第２の検索停止手段）
４７  検索再開部（検索再開手段）
４８  周波数表示部（周波数表示手段）
４９  周波数データ保持部（周波数データ保持手段）
５０  マーカ設定部（マーカ設定手段）
【図１】
2014238283.tif 000003
【図２】
2014238283.tif 000004
【図３】
2014238283.tif 000005
【図４】
2014238283.tif 000006
【図５】
2014238283.tif 000007